(57)【特許請求の範囲】
【請求項１】
それぞれ溝形部材からなる柱部材を使用した下梯子部、中梯子部及び上梯子部を摺動可能に連結すると共に所定位置でこれらを固定できるストッパーを有した伸縮梯子において、
前記中梯子部の柱部材のウエブ長を前記下梯子部及び前記上梯子部の柱部材のウエブ長より大きくして、前記中梯子部の断面係数を、前記下梯子部及び前記上梯子部の断面係数より大きくし、
しかも、前記下梯子部と前記中梯子部の各摺動部分、及び前記中梯子部と前記上梯子部の各摺動部分には、摺動面が左右対称に斜めとなって、該伸縮梯子を斜めに立てかけて使用する場合に当接する傾斜面を有する斜め摺動機構が設けられ、梯子面に対して垂直方向の荷重が摺動移動する部材の梯子面に対して横方向の移動を拘束し、
前記中梯子部の柱部材内に前記上梯子部の柱部材を摺動可能に配置すると共に、前記下梯子部の上部位置に少しの隙間を有して２つの下向きガイドホルダーを設け、該２つの下向きガイドホルダーに前記中梯子部の柱部材を摺動可能に挿通することを特徴とする伸縮梯子。
【請求項２】
請求項１記載の伸縮梯子において、前記中梯子部の片側の柱部材の上部及び下部に第１及び第２の滑車を設けると共に、前記第１、第２の滑車に張った状態で掛け渡されたロープＡの両端部を対応する側の前記上梯子部の柱部材に固定し、更に前記第１、第２の滑車に掛け渡されたロープＡを前記中梯子部の外側に露出させたことを特徴とする伸縮梯子。
【請求項３】
請求項１記載の伸縮梯子において、前記中梯子部の下部の一方の柱部材に第３、第４の滑車を、該中梯子部の下部の他方の柱部材に第５、第６の滑車を設けると共に、前記下梯子部の他方の柱部材の上部及び下部に第７、第８の滑車を設け、一端が前記下梯子部の一方の柱部材の下部に固定されたロープＢを、前記第３の滑車、第５の滑車、第８の滑車、第７の滑車、第６の滑車、第４の滑車に順次掛け渡して該ロープＢの他端を前記下梯子部の一方の柱部材の上部に固定し、しかも、前記第７、第８の滑車を通るロープＢは外部に露出させたことを特徴とする伸縮梯子。
【発明の詳細な説明】
【０００１】
【発明の属する技術分野】
本発明は、踏桟が所定間隔で配置された柱単位が複数個伸縮可能に連結された伸縮梯子に関する。
【０００２】
【従来の技術】
従来の一般的な３段式の伸縮梯子１００の伸長状態を図１２（Ａ）、（Ｂ）、図１３、及び図１４に示すが、図に示すように、相互に摺動可能に連結された下梯子部１０１、中梯子部１０２及び上梯子部１０３を有している。下梯子部１０１の対向するガイド溝１０４内に中梯子部１０２が摺動可能に移動し、中梯子部１０２のガイド溝１０５内には上梯子部１０３が摺動可能に嵌入している。なお、１０６は下梯子部１０１の踏桟、１０７は中梯子部１０２の踏桟、１０８は上梯子部１０３の踏桟を示し、踏桟１０６〜１０８は両端をリベットによって前記ガイド溝１０４、１０５が形成された柱部材１０９〜１１２及び柱部材１１３、１１４にそれぞれ固定されている。
そして、下梯子部１０１内に収納した中梯子部１０２を上昇させるために、下梯子部１０１の上部にロープ１１５の一端が固着され、このロープ１１５は中梯子１０２の下部及び下梯子部１０１の上部に設けられた滑車１１６、１１６ａを介して下方まで垂下している。また、上梯子部１０３を上昇させるために、別のロープ１１７が中梯子部１０２の上部に固着され、このロープ１１７は上梯子部１０３の下部及び中梯子部１０２の上部に取付けられた滑車１１８、１１８ａを介して下方に垂下している。なお、上昇させた中梯子部１０２及び上梯子部１０３が滑り落ちないように、図示しないストッパー部及びこれを解除する機構が設けられている。
この伸縮梯子１００は下梯子部１０１及び中梯子部１０２を構成する対向する柱部材１０９〜１１２が断面溝形であって、この溝内を上位にある梯子部が摺動移動するようになっているが、図１５（Ａ）、（Ｂ）に示すように、下梯子部１２０、中梯子１２１、上梯子１２２の両側柱にフランジ端部を内側に屈曲させた略Ｈ形の柱部材１２３〜１２８を使用すると共に、中梯子部１２１及び上梯子部１２２に下側の梯子部を摺動移動するガイド部材１２９〜１３６を取付けて構成される伸縮梯子１３８もある。
【０００３】
【発明が解決しようとする課題】
しかしながら、従来例に係る伸縮梯子１００、１３８においては、以下のような問題がある。
（１）伸縮梯子１００の各梯子部の摺動部分は、その移動を滑らかにし、更に製作上の寸法誤差を考慮して、多少のガタを設けて設計している。即ち、下梯子部１０１のガイド溝１０４に対して中梯子部１０２が隙間を有して摺動自在に移動し、中梯子部１０２のガイド溝１０５に対して上梯子部１０３が隙間を有して摺動自在に装着されている。摺動部分にこのような隙間があっても、伸縮梯子１００は対象物に対して斜めに立てかけて使用されるので、下位の梯子部と上位の梯子部の重合部分１３９、１４０では、図１３、図１４に示されるように、下位のガイド溝１０４（１０５）内で上位の梯子部が位置を変えて上下に片当たりし（即ち、面と点で受ける）、これによって梯子面に対する垂直方向の荷重に対しては問題なく使用できる。ところが、梯子面に対して幅方向の隙間Ｃに対しては、ガタを規制する対応がないので、各踏桟１０６〜１０８に対して偏荷重が掛かった場合、上位の梯子部に隙間Ｃ分だけ傾きが生じる。特に、人が梯子を使用する場合には、片足ずつ交互に上位置又は下位置の踏桟を踏むので、伸縮梯子の上下の支持が悪い場合には左右に梯子が揺れて危険であるという問題がある。
このような問題は、伸縮梯子１３８においても、梯子面方向に隙間を形成しているので、同様に生じる問題である。
【０００４】
（２）伸縮梯子１００においてはその伸縮構造が入れ子式であり、伸縮梯子１３８においては外側ガイド取付け式であって上位の梯子部ほど幅狭に作っているので、下位の梯子部ほど強度がアップしている。ところが、伸縮梯子１００、１３８は斜めに立てかけて使用するので、曲げモーメントは両端自由支持の梁と同様な応力分布となって、中梯子部１０２が最大の曲げ応力を受けることになる。従って、中梯子部１０２を適正な部材で構成した場合、下梯子部１０１が過剰品質となって、重量が重くなるという問題がある。
（３）特に、伸縮梯子１００においては、図１３、図１４に示すように、下梯子部１０１の踏桟１０６と中梯子部１０２の踏桟１０７との隙間が狭いので、梯子を伸ばすときあるいは縮めるときにこの部分に指が入ると危険である。また、下梯子部１０１及び中梯子部１０２においては、対向する柱部材１０９〜１１２の連結は、それぞれのフランジ部分に踏桟１０６、１０７を固定しているので、荷重がかかった場合のヒネリが大きいという問題がある。
また、内側にガイド溝が形成されている下位の柱部材とその内側に装着される上位の柱部材との間隔が小さいので、下位の柱部材を物にぶっつけた場合には、スライド不能になる可能性が高い。
【０００５】
（４）一方、伸縮梯子１３８においては、縮める場合、各梯子部１２０〜１２２を重ねるようにして収納するので、収納厚みが大きくなるという問題があり、更には上位の梯子部の踏桟は幅狭（又は、下端幅が広くなる）になるので、使用しにくいという問題がある。
また、各柱部材１２３〜１２８のフランジが外部に出ており、この部分が摺動面を構成するが、フランジ部に物を当てた場合には、その部分が変形してスライド不能という問題が発生する。
（５）次に、従来の伸縮梯子１００、１３８においては、ロープの操作が面倒であるという問題がある。即ち、図１２に示すように、伸縮梯子１００においては、２本のロープ１１５、１１７が地面まで垂れ下がっているが、上位の梯子部を引き上げるとき何れのロープを引っ張ればよいか、個々の動作ごとに確認しながら行う必要がある。
また、伸縮梯子１００を伸ばしたときには、ロープ１１５、１１７が踏桟１０６、１０７上に垂れ下がっており昇降しずらい。
更には、地面にたれ流しになったロープを梯子の調整を行うときや伸縮するときに踏み付ける恐れがある。
本発明はかかる事情に鑑みてなされたもので、材料の使用に無駄がなくて軽量に伸縮梯子を構成でき、しかも使用の揺れを解消できて丈夫な伸縮梯子を提供することを第１の目的とする。
また、ロープの弛みがなく、作業の邪魔にならない伸縮梯子を提供することを第２の目的とする。
【０００６】
【課題を解決するための手段】
前記目的に沿う第１の発明に係る伸縮梯子は、それぞれ溝形部材からなる柱部材を使用した下梯子部、中梯子部及び上梯子部を摺動可能に連結すると共に所定位置でこれらを固定できるストッパーを有した伸縮梯子において、
前記中梯子部の柱部材のウエブ長を前記下梯子部及び前記上梯子部の柱部材のウエブ長より大きくして、前記中梯子部の断面係数を、前記下梯子部及び前記上梯子部の断面係数より大きくし、
しかも、前記下梯子部と前記中梯子部の各摺動部分、及び前記中梯子部と前記上梯子部の各摺動部分には、摺動面が左右対称に斜めとなって、該伸縮梯子を斜めに立てかけて使用する場合に当接する傾斜面を有する斜め摺動機構が設けられ、梯子面に対して垂直方向の荷重が摺動移動する部材の梯子面に対して横方向の移動を拘束し、
前記中梯子部の柱部材内に前記上梯子部の柱部材を摺動可能に配置すると共に、前記下梯子部の上部位置に少しの隙間を有して２つの下向きガイドホルダーを設け、該２つの下向きガイドホルダーに前記中梯子部の柱部材を摺動可能に挿通し、
更に、前記中梯子部の片側の柱部材の上部及び下部に第１及び第２の滑車を設けると共に、前記第１、第２の滑車に張った状態で掛け渡されたロープＡの両端部を対応する側の前記上梯子部の柱部材に固定し、更に前記第１、第２の滑車に掛け渡されたロープＡを前記中梯子部の外側に露出させた。
これによって、中梯子部に比較して曲げモーメントが小さい下梯子部及び上梯子部の部材を節約できる。
また、第１の発明に係る伸縮梯子において、前記中梯子部の柱部材内に前記上梯子部の柱部材を摺動可能に配置すると共に、前記下梯子部の上部位置に少しの隙間を有して２つの下向きガイドホルダーを設け、該２つの下向きガイドホルダーに前記中梯子部の柱部材を摺動可能に挿通しているので、下梯子部の柱部材の大きさが自由となり、中梯子部より小さい断面係数の小さい部材を使用できる。
【０００７】
第１の発明に係る伸縮梯子においては、前記下梯子部と前記中梯子部の各摺動部分、及び前記中梯子部と前記上梯子部の各摺動部分には、摺動面が左右対称に斜めになった斜め摺動機構が設けられ、梯子面に対して垂直方向の荷重が摺動移動する部材の梯子面に対して横方向の移動を拘束しているので、踏桟に偏荷重が掛かっても中梯子部又は上梯子部が揺れない。
ここで、前記摺動面には、滑り性を確保するコーティング材が貼着、又は滑り性を確保する表面処理がなされているのが好ましく、これによって同種金属が滑り合う場合に発生する金属の噛み込みや異常摩耗がなくなる。
【０００８】
第１の発明に係る伸縮梯子において、前記中梯子部の片側の柱部材の上部及び下部に第１及び第２の滑車を設けると共に、前記第１、第２の滑車に張った状態で掛け渡されたロープＡの両端部を対応する側の前記上梯子部の柱部材に固定し、更に前記第１、第２の滑車に掛け渡されたロープＡを前記中梯子部の外側に露出させることも可能である。これによって、ロープの弛みがなくなる。また、ロープは中梯子部に取付けられているので、必ず上梯子部を先に上昇させてから、中梯子部を上げる操作が必要となる。
【０００９】
第１の発明に係る伸縮梯子において、前記中梯子部の下部の一方の柱部材に第３、第４の滑車を、該中梯子部の下部の他方の柱部材に第５、第６の滑車を設けると共に、前記下梯子部の他方の柱部材の上部及び下部に第７、第８の滑車を設け、一端が前記下梯子部の一方の柱部材の下部に固定されたロープＢを、前記第３の滑車、第５の滑車、第８の滑車、第７の滑車、第６の滑車、第４の滑車に順次掛け渡して該ロープＢの他端を前記下梯子部の一方の柱部材の上部に固定し、しかも、前記第７、第８の滑車を通るロープＢは外部に露出させることも可能である。これによって、ロープの撓みが無くなる。
【００１０】
【発明の実施の形態】
続いて、添付した図面を参照しつつ、本発明を具体化した実施の形態につき説明し、本発明の理解に供する。
ここに、図１は本発明の第１の実施の形態に係る伸縮梯子を示す図面であって、（Ａ）は伸ばした状態の伸縮梯子の側面図、（Ｂ）は同正面図、（Ｃ）は縮めた状態の伸縮梯子の側面図、図２は図１における矢視Ｃ−Ｃ断面図、図３は図１における矢視Ｄ−Ｄ断面図、図４は図１における矢視Ｅ−Ｅ断面図、図５は図１における矢視Ｆ−Ｆ断面図、図６は図１における矢視Ｇ−Ｇ断面図、図７、図８は同伸縮梯子の部分斜視図、図９は本発明の第２の実施の形態に係る伸縮梯子の図面であって、（Ａ）は伸ばした状態の伸縮梯子の側面図、（Ｂ）は同正面図、（Ｃ）は縮めた状態の伸縮梯子の側面図、図１０は図９におけるＪ−Ｊ断面図  図１１は図９におけるＫ−Ｋ断面図である。
【００１１】
図１〜図８に示すように、本発明の第１の実施の形態に係る伸縮梯子１０は、主として軽量なアルミ材、場合によってＦＲＰを用いて全体が構成され、下梯子部１１と、これに連結される中梯子部１２と、中梯子部１２に連結される上梯子部１３とを有している。以下、これらについて詳しく説明する。
下梯子部１１は、図１、図４、図５に示すように、対向する柱部材１４、１５とこれらを連結する複数のパイプ状部材からなる踏桟１６とを有し、柱部材１４、１５の下端には脚座１７、１８が設けられている。
図４、図５に示すように、柱部材１４、１５はそれぞれ中央のウエブ１９、２０と両側にフランジ２１〜２４とを有する溝形形状となって、踏桟１６の両端部のウエブ１９、２０にそれぞれねじ、リベットかしめ、鍔出し成形かしめ等で固着されている。フランジ２１〜２４の断面は、中央に窪み２５（リベットの頭がこの部分を挿通する）を有する外側に縮幅する台形状となって、その両側に傾斜面２６、２７をそれぞれ備えている。この柱部材１４、１５の上部位置には、図１に示すように、少しの間隔を有して下向きガイドホルダー２８、２９が設けられている。
【００１２】
下向きガイドホルダー２８、２９は、それぞれ対向するガイド板片３０〜３３からなって、ガイド板片３０〜３３の基部は柱部材１４、１５のウエブ１９、２０に固着されている。対向するガイド板片３０、３１と、対向するガイド板片３２、３３は、それぞれ中間部、先部が対向状態で略コ字状に曲げられて、その内側に中梯子部１２が摺動自在に嵌入する空間部を形成している。この空間部の４隅に相当するガイド板片３０〜３３の先部の折り曲げ部分の角には、傾斜加工がなされて内側に約４５度の傾斜面３４〜３７が設けられている。
前記中梯子部１２は、図２〜図５に示すように、前記した下向きガイドホルダー２８、２９の内側に嵌入する柱部材３８、３９とこれを連結する複数の踏桟４０とを有している。柱部材３８、３９は断面が同一の複溝形状となって、ウエブ４１とその両側に連結されるフランジ４２、４３とを有し、更にフランジ４２の外側には更に踏桟４０の両端部が嵌入してリベット４４によって固定する取付け溝４５がそれぞれ形成されている。
ウエブ４１とフランジ４２、４３の連結部分の内側にはそれぞれ傾斜面４６、４７を有し、その外側にもこれに対応する傾斜面４８、４９を有している。なお、柱部材３８、３９の傾斜面４８、４９は、前記した下向きガイドホルダー２８、２９の傾斜面３４、３５と同一の角度となっている。
そして、柱部材３８、３９のそれぞれの取付け溝４５を形成する外側フランジ５０の内側端部は外側に突出する突出部５１を有し、この突出部５１には、前記した下梯子部１１の柱部材１４、１５に形成されたフランジ２２、２４の傾斜面２７に対応する傾斜面５２が形成されている。
【００１３】
従って、中梯子部１２は、下梯子部１１の上部に設けられた下向きガイドホルダー２８、２９と下梯子部１１本体によって形成される空間部に摺動自在に嵌入するが、下向きガイドホルダー２８、２９と下梯子部１１が摺動する部分は、下向きガイドホルダー２８、２９の傾斜面３４〜３７と、柱部材３８、３９の傾斜面４９とであり、下梯子部１１と中梯子部１２が摺動する部分は、柱部材１４、１５の傾斜面２７と、柱部材３８、３９の傾斜面５２とである。この場合、中梯子部１２は、下向きガイドホルダー２８、２９と下梯子部１１によって形成される空間部に十分な隙間（片側、約１．５ｍｍ程度）を有して装入されて、下梯子部１１に対して中梯子部１２が摺動自在に移動することになるが、この伸縮梯子１０は傾斜配置して使用されるので、下梯子部１１と中梯子部１２の重合部分５３の上下では相互に接することになる。この場合、図４、図５に示すように、重合部分５３の上端では傾斜面５２と傾斜面２７が接し、下端では傾斜面３６、３７と傾斜面４９とが接している。これらの対となる傾斜面５２、２７、傾斜面３６、４９、及び傾斜面３７、４９の組み合わせによって、中梯子部１２の揺れを防止する斜め摺動機構が構成されている。これによって、下梯子部１１に対して中梯子部１２は前後方向だけでなく、左右方向も拘束されるので、揺れが生じないという利点がある。なお、各傾斜面を含む摺動部分の何れか一方にはそれぞれ裏面に接着剤が塗布されたコーティング材の一例であるポリ・テトラ・フルオロ・エチレン(-CF2-CF2-)nのテープ５４が貼着されて、この部分の滑りを良くしている。そして、中梯子部１２の柱部材３８、３９の背面側は補強部材５３ａで連結されている。
また、中梯子部１２の柱部材３８、３９のウエブ４１は、下梯子部１１のウエブ１９、２０より十分大きくなって、柱部材３８、３９の断面係数が、柱部材１４、１５の断面係数より十分大きくなっている。これは、伸縮梯子１０を立てかけて使用する場合には、両端自由支持の梁となって、中梯子部１２に最大の曲げモーメントがかかるので、この部分が最大の断面係数を持つ必要があるからである。一方、下梯子部１１は中梯子部１２の上に載って摺動移動するので、その大きさを自由に設計でき、従って、下梯子部１１が必要とする部材の断面係数を有すれば良いので、従来の伸縮梯子より部材を落とすことができ、これによって実際に伸縮梯子にかかる曲げモーメントを考慮した経済設計ができる。
【００１４】
次に、図２、図３を参照しながら、上梯子部１３について説明する。
上梯子部１３は対向する柱部材５５、５６と、これを連結する複数の踏桟５７とを有している。柱部材５５、５６はウエブ５８及びこれに連接するフランジ５９、６０を有する溝形部材からなっており、それぞれのフランジ５９、６０が外方を向いた形で組み付けられて、それぞれのフランジ５９、６０の外側角部には、傾斜面６１、６２が設けられている。なお、この柱部材５５、５６の断面形状は、前記した柱部材１４、１５と同一となっている。従って、上梯子部１３を伸ばして壁等にこの伸縮梯子１０を立てかけた場合には、図１に示す重合部分６３の上部で、両側の傾斜面６１と、柱部材３８、３９の傾斜面４６とが当接し（図２参照）、重合部分６３の下部で柱部材５５、５６の傾斜面６２が、柱部材３８、３９の傾斜面４７に当接し（図３参照）、これによって、上梯子部１３は中梯子部１２に対して梯子面の垂直方向に対してだけでなく、横方向にも規制される。なお、傾斜面６１、６２の下端（外側）に連接する平面と傾斜面４６、４７の下端（外側）に連接する平面の間には隙間Ｇ（図６参照）が形成されて、確実に傾斜面４６、４７と傾斜面６１、６２が当接するようになっている。以上の傾斜面４６、４７と傾斜面６１、６２によって上梯子部１３の横揺れを防止する斜め摺動機構が構成されている。
従って、この伸縮梯子１０の中梯子部１２及び上梯子部１３を伸長して使用する場合に、仮に踏桟４０、５７に偏心荷重が掛かっても傾かないことになる。
なお、各柱部材の内側には、柱部材の強度が不足する場合に、図示するように適当な補強片を設けることも可能である。図５に示すように、柱部材３８、３９の踏桟４０のない部分に、下梯子部１１の柱部材１４、１５の内側をガイドするガイド片１２ａを設けることも可能である。図６は収納した状態の伸縮梯子１０の部分断面であるが、摩擦軽減用のテープ５４は省略されて記載している。
なお、符号１６ａは、取っ手である。
【００１５】
続いて、図７、図８を参照しながら、上梯子部１３及び中梯子部１２を上昇させるロープ機構について説明する。
図７に示すように、中梯子部１２の片側の柱部材３８の溝の上下には、第１の滑車６４と第２の滑車６５が設けられている。第１、第２の滑車６４、６５はそれぞれの車輪が溝内に立った状態で取付けられ、第１、第２の滑車６４、６５に張った状態で掛けられたロープ６６の一方が柱部材３８の外側を挿通し、第１、第２の滑車６４、６５に掛かったロープ６６の他方は柱部材３８の内側を挿通して、それぞれの端部が上梯子部１３の下部に取付けられた止金６７に固定されている。このような構造とすることによって、外側に張られたロープ６６を上げ下げすることによって、上梯子部１３の昇降が行える。第１、第２の滑車６４、６５はその車輪が外部に露出するのを防止するカバーを備えている。なお、上梯子部１３の落下を防止する、すなわち上梯子部１３を伸ばした状態で固定できる周知構造のストッパー６８が上梯子部１３の下部に設けられている。このストッパー６８は下部に掛止用の切欠き６９を有し、スプリングによってこの切欠き６９が踏桟４０方向に付勢されている。
【００１６】
図８に示すように、中梯子部１２の下部の一方の柱部材３９に重合してそれぞれが独立に回転する第３、第４の滑車７０、７１を設け、中梯子部１２の下部の他方の柱部材３８にそれぞれ独立に回転する第５、第６の滑車７２、７３を設けると共に、下梯子部１１の柱部材１４の上部及び下部に第７、第８の滑車７４、７５を設ける。そして、一端が下梯子部１１の柱部材１５の下部に固定されたロープ７６を、第３の滑車７０、第５の滑車７２、第８の滑車７５、第７の滑車７４、第６の滑車７３、第４の滑車７１に順次掛け渡してロープ７６の他端を下梯子部１１の柱部材１５の上部に固定する。そして、第７、第８の滑車７４、７５の軸は梯子面に直交する方向に配置されて、第７、第８の滑車７４、７５を通るロープ７６は外部に露出させている。従って、このロープ７６を操作することによって、中梯子部１２が昇降する。
ここで、中梯子部１２の下部には上昇させた中梯子部１２の落下を防止する、すなわち中梯子部１２を伸ばした状態で固定できる周知構造のストッパー７７が設けられている。なお、第７、第８の滑車７４、７５には車輪の露出を防止するカバーが設けられている。
【００１７】
続いて、図９〜図１１を参照しながら、本発明の第２の実施の形態に係る伸縮梯子７９について説明するが、前記した第１の実施の形態に係る伸縮梯子１０と同一の構成要素については同一の番号を付してその詳しい説明を省略する。
第２の実施の形態に係る伸縮梯子７９と第１の実施の形態に係る伸縮梯子１０の異なる点は、第１の実施の形態に係る伸縮梯子１０においては、下梯子部１１の上部に少しの距離を置いて下向きガイドホルダー２８、２９が設けられて、これによって、中梯子部１２をガイドしているが、第２の実施の形態に係る伸縮梯子７９においては、図９（Ａ）、（Ｂ）、（Ｃ）に示すように、下梯子部１１の上部に下向きガイドホルダー２８を配置し、中梯子部１２の下部に上向きガイドホルダー８０を配置した点である。
従って、図９におけるＪ−Ｊの主要断面は、図１０に示すように図４と同一となる。一方、図１１に示すように、中梯子部１２の下部に上向きガイドホルダー８０は設けている。この上向きガイドホルダー８０は、対向するガイド板片８１、８２からなって、ガイド板片８１、８２の基部は、中梯子部１２の柱部材３８、３９のウエブ４１に固着されている。対向するガイド板片８１、８２は、それぞれ中間部、先部が対向状態で略コ字状に曲げられて、その内側に下梯子部１１が摺動自在に嵌入する空間部を形成している。ガイド板片８１、８２の上側角部は斜めに折り曲げられて内側に４５度の傾斜面８３、８４が形成されている。
【００１８】
前記傾斜面８３、８４は柱部材１９、２０の斜め角部に形成されている傾斜面２６が摺動移動するようになっている。そして、柱部材１９、２０の反対側のフランジ２２、２４の内側に形成されている傾斜面２７には、それぞれ中梯子部１２の柱部材３８、３９の外側フランジ５０の端部に形成されている傾斜面５２が摺動可能に当接するようになっている。このように、下梯子部１１と中梯子部１２との上下の摺動部分を傾斜面（４５度）によって当接、摺動させているので、伸縮梯子１０が斜めに立てかけられた場合の梯子面に対する垂直方向の荷重によって梯子自体の横方向の揺れも拘束できる構造となっている。
【００１９】
各傾斜面の角度は前記実施の形態においては、約４５度であったが、３０〜６０度の範囲で変更することもできる。
【００２０】
【発明の効果】
請求項１〜３記載の伸縮梯子は、以上の説明からも明らかなように、下梯子部、中梯子部及び上梯子部を有する伸縮梯子において、中梯子部の柱部材のウエブ長を下梯子部及び上梯子部の柱部材のウエブ長より大きくして、中梯子部の断面係数を、下梯子部及び上梯子部の断面係数より大きくしたので、下梯子部の過剰品質を防止し、軽量な伸縮梯子を安価に提供できる。
そして、下梯子部と中梯子部の各摺動部分、及び中梯子部と上梯子部の各摺動部分には、摺動面が左右対称に斜めになった斜め摺動機構が設けられ、梯子面に対して垂直方向の荷重が摺動移動する部材の梯子面に対して横方向の移動を拘束したので、中梯子部や上梯子部の踏桟に偏荷重が掛かっても、中梯子部や上梯子部の揺れが無くなった。
そして、中梯子部の柱部材内に上梯子部の柱部材を摺動可能に配置すると共に、下梯子部の上部位置に少しの隙間を有して２つの下向きガイドホルダーを設け、２つの下向きガイドホルダーに中梯子部の柱部材を摺動可能に挿通したので、縮めた状態の伸縮梯子の厚みが薄くなり、コンパクトに収納できる。
請求項２記載の伸縮梯子においては、中梯子部の片側の柱部材の上部及び下部に第１及び第２の滑車を設けると共に、第１、第２の滑車に張った状態で掛け渡されたロープＡの両端部を対応する側の上梯子部の柱部材に固定し、更に第１、第２の滑車に掛け渡されたロープＡを中梯子部の外側に露出させたので、上梯子部を昇降する場合のロープＡに弛みが発生せず、更には、このロープＡは中梯子部に取付けてあるので、中梯子部を上昇させた後は操作ができず、操作の確実性が保証できることになった。
請求項３記載の伸縮梯子においては、中梯子部の下部の一方の柱部材に第３、第４の滑車を、該中梯子部の下部の他方の柱部材に第５、第６の滑車を設けると共に、下梯子部の他方の柱部材の上部及び下部に第７、第８の滑車を設け、一端が下梯子部の一方の柱部材の下部に固定されたロープＢを、第３の滑車、第５の滑車、第８の滑車、第７の滑車、第６の滑車、第４の滑車に順次掛け渡して該ロープＢの他端を下梯子部の一方の柱部材の上部に固定し、しかも、第７、第８の滑車を通るロープＢは外部に露出させたので、中梯子部を昇降するロープＢに弛みが発生せず、従って、従来のようにロープが散らかることがなく、作業の邪魔にならない。
【図面の簡単な説明】
【図１】本発明の第１の実施の形態に係る伸縮梯子を示す図面であって、（Ａ）は伸ばした状態の伸縮梯子の側面図、（Ｂ）は同正面図、（Ｃ）は縮めた状態の伸縮梯子の側面図である。
【図２】図１における矢視Ｃ−Ｃ断面図である。
【図３】図１における矢視Ｄ−Ｄ断面図である。
【図４】図１における矢視Ｅ−Ｅ断面図である。
【図５】図１における矢視Ｆ−Ｆ断面図である。
【図６】図１における矢視Ｇ−Ｇ断面図である。
【図７】同伸縮梯子の部分斜視図である。
【図８】同伸縮梯子の部分斜視図である。
【図９】本発明の第２の実施の形態に係る伸縮梯子の図面であって、（Ａ）は伸ばした状態の伸縮梯子の側面図、（Ｂ）は同正面図、（Ｃ）は縮めた状態の伸縮梯子の側面図である。
【図１０】図９における矢視Ｊ−Ｊ断面図である。
【図１１】図９における矢視Ｋ−Ｋ断面図である。
【図１２】従来例に係る伸縮梯子の図面であって、（Ａ）は伸ばした状態の伸縮梯子の側面図、（Ｂ）は同正面図である。
【図１３】図１２におけるＡ−Ａ断面図である。
【図１４】図１２における矢視Ｂ−Ｂ断面図である。
【図１５】従来例に係る伸縮梯子の図面であって、（Ａ）は屈曲させた略Ｈ形の柱部材を示す図であり、（Ｂ）伸縮梯子の正面図である。
【符号の説明】
１０：伸縮梯子、１１：下梯子部、１２：中梯子部、１２ａ：ガイド片、１３：上梯子部、１４、１５：柱部材、１６：踏桟、１６ａ：取っ手、１７、１８：脚座、１９、２０：ウエブ、２１〜２４：フランジ、２５：窪み、２６、２７：傾斜面、２８、２９：下向きガイドホルダー、３０〜３３：ガイド板片、３４〜３７：傾斜面、３８、３９：柱部材、４０：踏桟、４１：ウエブ、４２、４３：フランジ、４４：リベット、４５：取付け溝、４６〜４９：傾斜面、５０：外側フランジ、５１：突出部、５２：傾斜面、５３：重合部分、５４：テープ、５５、５６：柱部材、５７：踏桟、５８：ウエブ、５９、６０：フランジ、６１、６２：傾斜面、６３：重合部分、６４：第１の滑車、６５：第２の滑車、６６：ロープ、６７：止金、６８：ストッパー、６９：切欠き、７０：第３の滑車、７１：第４の滑車、７２：第５の滑車、７３：第６の滑車、７４：第７の滑車、７５：第８の滑車、７６：ロープ、７７：ストッパー、７９：伸縮梯子、８０：上向きガイドホルダー、８１、８２：ガイド板片、８３、８４：傾斜面
【図１】
0004115616.tif 000002
【図２】
0004115616.tif 000003
【図３】
0004115616.tif 000004
【図４】
0004115616.tif 000005
【図５】
0004115616.tif 000006
【図６】
0004115616.tif 000007
【図７】
0004115616.tif 000008
【図８】
0004115616.tif 000009
【図９】
0004115616.tif 000010
【図１０】
0004115616.tif 000011
【図１１】
0004115616.tif 000012
【図１２】
0004115616.tif 000013
【図１３】
0004115616.tif 000014
【図１４】
0004115616.tif 000015
【図１５】
0004115616.tif 000016